(57)【要約】【課題】  間接活線工法で適切かつ安全に除雪することを可能にする。【解決手段】  電気絶縁性で略直方体状の工具本体２と、工具本体２の下面２１に設けられ、共用操作棒の先端部に取り付けられる取付部３と、を備え、工具本体２の２辺２ａ、２ｂに、外側に突出して雪を掻き出すまたは押し出すための突出部４、５が設けられている。【選択図】  図１
2019161878.tif 000002
【特許請求の範囲】
【請求項１】
間接活線工法における共用操作棒の先端部に取り付けられる除雪用間接活線先端工具であって、
電気絶縁性で略直方体状の工具本体と、
前記工具本体の下面に設けられ、前記共用操作棒の先端部に取り付けられる取付部と、
を備え、前記工具本体の少なくとも一辺に、外側に突出して雪を掻き出すまたは押し出すための突出部が設けられている、
ことを特徴とする除雪用間接活線先端工具。
【請求項２】
前記工具本体の側面または上面に、凹状で電線を通すことで該電線に付着した雪を取り除く電線挿入部が設けられている、
ことを特徴とする請求項１に記載の除雪用間接活線先端工具。
【請求項３】
前記工具本体の側面または上面に、ブラシ状で雪を払い除くブラシ部が設けられている、
ことを特徴とする請求項１または２のいずれか１項に記載の除雪用間接活線先端工具。
【発明の詳細な説明】
【技術分野】
【０００１】
この発明は、間接活線工法における共用操作棒の先端部に取り付けられる先端工具に関し、特に、除雪するための除雪用間接活線先端工具に関する。
【背景技術】
【０００２】
冬季には、電線や電柱の腕金、碍子などに雪が積もる場合があり、電気工事などを行う場合には雪が支障になるため、雪を取り除く必要がある。この際、停電させないで雪を取り除く必要があるため、従来、共用操作棒の先端部に先端工具が取り付けられた間接活線工具（ホットスティック）を使用していた（例えば、特許文献１参照。）。
【先行技術文献】
【特許文献】
【０００３】
【特許文献１】特開２０１７−１２３７６０号公報
【発明の概要】
【発明が解決しようとする課題】
【０００４】
ところで、従来の先端工具には、除雪を目的にしたものがなかったため、他の目的のために使用される先端工具を取り付けて除雪を行う、ということが行われており、適切に除雪することが困難であった。しかも、先端工具のほとんどが硬く導電性を有する金属製のため、除雪に使用した際に、充電部に接触して地絡や短絡などの事故を引き起こしたり、碍子や電線などを損傷させたりするおそれがあった。
【０００５】
また、地絡や短絡などを防止するために、電気絶縁性を有する共用操作棒の柄（棒部）で除雪することも考えられるが、共用操作棒の持ち手部を充電部に近づけることになり、作業者の感電リスクが高まってしまう。しかも、共用操作棒の絶縁性能は、柄の先端から持ち手部までの距離で保たれており、柄の途中を充電部に接触させるのは、安全上好ましくない。
【０００６】
そこでこの発明は、間接活線工法で適切かつ安全に除雪することを可能にする除雪用間接活線先端工具を提供することを目的とする。
【課題を解決するための手段】
【０００７】
上記課題を解決するために、請求項１の発明は、間接活線工法における共用操作棒の先端部に取り付けられる除雪用間接活線先端工具であって、電気絶縁性で略直方体状の工具本体と、前記工具本体の下面に設けられ、前記共用操作棒の先端部に取り付けられる取付部と、を備え、前記工具本体の少なくとも一辺に、外側に突出して雪を掻き出すまたは押し出すための突出部が設けられている、ことを特徴とする。
【０００８】
この発明によれば、共用操作棒の先端部に除雪用間接活線先端工具の取付部を取り付け、共用操作棒の反先端部側（持ち手部）を持って工具本体の突出部で雪を掻き出し、あるいは押し出すことで除雪する。
【０００９】
請求項２の発明は、請求項１に記載の除雪用間接活線先端工具において、前記工具本体の側面または上面に、凹状で電線を通すことで該電線に付着した雪を取り除く電線挿入部が設けられている、ことを特徴とする。
【００１０】
請求項３の発明は、請求項１または２に記載の除雪用間接活線先端工具において、前記工具本体の側面または上面に、ブラシ状で雪を払い除くブラシ部が設けられている、ことを特徴とする。
【発明の効果】
【００１１】
請求項１の発明によれば、工具本体の一辺に、雪を掻き出したり押し出したりするための突出部が設けられているため、間接活線工法で適切かつ容易、効率的に除雪することが可能となる。しかも、工具本体が略直方体状で、その一辺に外側に突出する突出部が設けられているため、突出部で掻き出したり押し出したりした雪を突出部に隣接する平らな面で受ける（集める）ことができ、除雪をより適切かつ効率的に行うことが可能となる。また、工具本体が電気絶縁性のため、地絡や短絡あるいは感電リスクなどを回避して、安全に除雪作業を行うことが可能となる。
【００１２】
請求項２の発明によれば、工具本体に設けられた電線挿入部に電線を通すだけで、この電線に付着した雪が取り除かれるため、電線に対する除雪を適切かつ容易、安全に行うことが可能となる。
【００１３】
請求項３の発明によれば、工具本体にブラシ部が設けられているため、このブラシ部で雪を払い除くことで、細部や複雑部などに対しても適切に除雪することが可能となる。
【図面の簡単な説明】
【００１４】
【図１】この発明の実施の形態に係る除雪用間接活線先端工具を示す斜視図である。
【図２】図１の除雪用間接活線先端工具の取付部周辺を示す正面図である。
【図３】図１の除雪用間接活線先端工具が取り付けられる共用操作棒を示す正面図である。
【図４】図１の除雪用間接活線先端工具で雪を掻き出している状態を示す図である。
【図５】図１の除雪用間接活線先端工具で雪を押し出している状態を示す図である。
【図６】図１の除雪用間接活線先端工具で電線に付着した雪を取り除いている状態を示す図である。
【図７】図１の除雪用間接活線先端工具で雪を払い除いている状態を示す図である。
【発明を実施するための形態】
【００１５】
以下、この発明を図示の実施の形態に基づいて説明する。
【００１６】
図１〜図７は、この発明の実施の形態を示し、図１は、この実施の形態に係る除雪用間接活線先端工具１を示す斜視図である。この除雪用間接活線先端工具１は、間接活線工法における共用操作棒１００の先端部１０２に取り付けられる先端工具であり、主として、工具本体２と、取付部３と、を備える。
【００１７】
工具本体２は、電気絶縁性で、具体的にこの実施の形態では繊維強化プラスチック（ＦＲＰ）製で、略直方体状となっている。取付部３は、工具本体２と同様に繊維強化プラスチック製で、工具本体２の下面２１の中央に設けられ、共用操作棒１００の先端部１０２に取り付けられるものである。
【００１８】
ここで、共用操作棒１００は、図３に示すように、棒状の主体１０１の一端に円柱状の先端部１０２が設けられ、この先端部１０２には、軸心を中心として左右にそれぞれ係合突起１０３が設けられている。また、主体１０１の先端部１０２側には雄ネジ１０２ａが形成され、この雄ネジ１０２ａに固定用ネジ１０４が螺合されている。
【００１９】
取付部３は、共用操作棒１００の先端部１０２が嵌合するキャップ状（有蓋円柱状）で、外面から内面に貫通する取付溝３Ａが一対対向して形成されている。この取付溝２Ａは、導入溝３ａと、水平溝３ｂと、係合溝３ｃと、を有する。導入溝３ａは、取付部３の下端面３ｄから所定の長さだけ軸心に沿って上方に延びている。水平溝３ｂは、導入溝３ａの終端から一方向に水平に延びている。係合溝３ｃは、水平溝３ｂの終端から所定の長さだけ軸心に沿って下方に延びている。導入溝３ａと水平溝３ｂと係合溝３ｃの幅は、操作棒本体１００の係合突起１０３が進入できるように設定されている。
【００２０】
そして、係合突起１０３を導入溝３ａに挿入し、水平溝３ｂに沿って水平移動させ、係合溝３ｃの底部に位置させた状態で固定用ネジ１０４を締め付ける。これにより、取付部３つまり除雪用間接活線先端工具１が、共用操作棒１００に対して軸心回りおよび軸方向にガタなく取り付けられる。
【００２１】
工具本体２には、第１の突出部（突出部）４と、第２の突出部（突出部）５と、電線挿入部６と、ブラシ部７とが設けられている。
【００２２】
第１の突出部４は、工具本体２の少なくとも一辺に設けられ、外側に突出して雪Ｓを掻き出すまたは押し出すためのものである。すなわち、工具本体２に一体的に形成され、この実施の形態では、工具本体２の上面２２の第１の辺２ａに沿って設けられている。
【００２３】
この第１の突出部４は、第１の辺２ａに垂直な面における断面形状が略直角三角形状で、その垂直辺（対辺）が工具本体２の第１の側面（第１の辺２ａを構成する垂直面）２３に沿い、その底辺（隣辺）が第１の側面２３から突出している。また、斜辺と底辺とによる角部である掻き出し部４１が下方に垂れ下がりフック状・鉤状に形成され、これにより、雪Ｓを掻き出しやすいようになっている。さらに、斜辺と垂直辺とによる角部である押し出し部４２が工具本体２の上面２２から突出し、これにより、雪Ｓを押し出しやすいようになっている。
【００２４】
第２の突出部５は、第１の突出部４と同様に工具本体２の少なくとも一辺に設けられ、外側に突出して雪Ｓを押し出すためのものである。すなわち、工具本体２に一体的に形成され、この実施の形態では、工具本体２の上面２２の第１の辺２ａに対向する第２の辺２ｂに沿って設けられている。
【００２５】
この第２の突出部５は、第２の辺２ｂに垂直な面における断面形状が略直角三角形状で、その垂直辺（対辺）が工具本体２の第２の側面（第２の辺２ｂを構成する垂直面）２４に沿い、その底辺（隣辺）が工具本体２の上面２２に沿っている。つまり、第２の突出部５は、第２の側面２４からは突出せずに上面２２から突出し、斜辺と垂直辺とによる角部から上面２２に向って斜辺が下方に延び、これにより、雪Ｓを押し出しやすいようになっている。
【００２６】
電線挿入部６は、工具本体２の側面または上面に設けられ、凹状で電線を通すことで該電線に付着した雪Ｓを取り除くものである。すなわち、この実施の形態では、工具本体２の第２の側面２４に窪み状に設けられ、第２の側面２４に垂直な面における断面形状が略楕円状で、第２の辺２ｂに沿って延びている。ここで、電線挿入部６の断面形状は、開口側から電線を挿入して、電線に沿って工具本体２を移動させることで、電線に付着した雪Ｓを取り除けるように設定されている。また、電線挿入部６に電線を挿入した状態で、工具本体２を上下動などさせることで、電線を揺らして電線に付着した雪Ｓを落とすことも可能となっている。
【００２７】
ブラシ部７は、工具本体の側面または上面に設けられ、ブラシ状で雪Ｓを払い除くものである。すなわち、刷毛部７１と、刷毛部７１を束ねるバンドル部７２とで構成され、工具本体２の第２の側面２４の第２の突出部５と電線挿入部６の間に形成された凹状の取付溝２４ａに、バンドル部７２が嵌合されてブラシ部７が取り付けられている。ここで、刷毛部７１の材質、変形性、剛性は、雪Ｓを払い除き（はき取り）やすいように設定され、また、ブラシ部７は、取付溝２４ａに対して着脱・取替自在となっている。
【００２８】
このように、第２の突出部５と電線挿入部６とブラシ部７を同一面つまり第２の側面２４に設けているのは、雪Ｓの押し出しや払い除き、電線の除雪などを工具本体２の向きを変えることなく、つまり、共用操作棒１００を持ち替えたりすることなく、連続的に行えるようにするためである。また、ブラシ部７を第２の突出部５側つまり工具本体２の先端側に設けているのは、ブラシ部７に力が伝わりやすくなって、雪Ｓの払い除きを適切かつ容易に行えるようにするためである。さらに、電線挿入部６を工具本体２の下面２１側に設けているのは、地上などの下方から電線（架線）の除雪を行う際に、電線の挿入状態や除雪状態を確認しやすくするためである。
【００２９】
次に、このような構成の除雪用間接活線先端工具１の使用方法、作用などについて説明する。
【００３０】
まず、除雪用間接活線先端工具１を使用して間接活線工法で除雪するには、上記のようにして共用操作棒１００の先端部１０２に取付部３を取り付け、除雪対象Ｔや除雪位置などに応じて第１の突出部４、第２の突出部５、電線挿入部６、ブラシ部７で除雪する。例えば、図４および図５に示すように、除雪対象Ｔが電柱の腕金や電気機器でその上面を除雪する場合、作業者の立ち位置や周囲の作業環境などに応じて、掻き出し部４１で雪Ｓを掻き出し（掻き寄せ）たり、第２の突出部５で雪Ｓを押し出したりする。あるいは、作業環境などによっては、工具本体２の上面２２の第３の辺２ｃや第４の辺２ｄなどで雪Ｓを押し出してもよい。この際、押し出し部４２や第２の突出部５を除雪対象Ｔの角部に当接させることで、角部の除雪も適正に行うことができる。
【００３１】
また、図６に示すように、除雪対象Ｔが電線の場合、電線挿入部６に電線を通すことで電線に付着した雪Ｓを取り除く。具体的には、電線挿入部６の開口側から電線を挿入し、電線に沿って工具本体２つまり除雪用間接活線先端工具１を移動させることで、電線に付着した雪Ｓを取り除く。また、図７に示すように、除雪対象Ｔが碍子などの異形体の場合、碍子などに付着した雪Ｓをブラシ部７で払い除く。
【００３２】
その他、除雪対象Ｔや除雪位置などに応じて、どのような部位をどのように使用してもよい。例えば、第１の突出部４や第２の突出部５で大雑把に除雪した後に、電線挿入部６やブラシ部７で細部や仕上げの除雪を行うようにしてもよい。
【００３３】
このように、この除雪用間接活線先端工具１によれば、工具本体２の２辺２ａ、２ｂに、雪Ｓを掻き出したり押し出したりするための突出部４、５が設けられているため、間接活線工法で適切かつ容易、効率的に除雪することが可能となる。しかも、工具本体２が略直方体状で、その２辺２ａ、２ｂに外側に突出する突出部４、５が設けられているため、突出部４、５で掻き出したり押し出したりした雪Ｓを突出部４、５に隣接する平らな面２２、２３等で受ける（集める）ことができ、除雪をより適切かつ効率的に行うことが可能となる。
【００３４】
また、工具本体２が電気絶縁性のため、地絡や短絡あるいは感電リスクなどを回避して、安全に除雪作業を行うことが可能となる。しかも、工具本体２が繊維強化プラスチック製で金属に比べて軟質のため、除雪対象Ｔである電線や碍子などを損傷させることもない。
【００３５】
さらに、工具本体２に電線挿入部６が設けられているため、電線挿入部６に電線を通すだけで、この電線に付着した雪Ｓを取り除け、電線に対する除雪を適切かつ容易、安全に行うことが可能となる。
【００３６】
また、工具本体２にブラシ部７が設けられているため、このブラシ部７で雪Ｓを払い除くことで、異形状の除雪対象Ｔや細部、複雑部などに対しても適切に（きれいに）除雪することが可能となる。
【００３７】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、第１の突出部４と第２の突出部５と電線挿入部６とブラシ部７をそれぞれ１つずつ設けているが、第１の突出部４や第２の突出部５などを複数設けて、多様な方向から雪Ｓの掻き出しや押し出しなどを行えるようにしてもよい。同様に、大きさが異なる電線挿入部６を複数設けて、大きさが異なる複数の電線に対応できるようにしてもよい。
【符号の説明】
【００３８】
１        除雪用間接活線先端工具
２        工具本体
２ａ      第１の辺
２ｂ      第２の辺
２１      下面
２２      上面
２３      第１の側面
２４      第２の側面
３        取付部
４        第１の突出部（突出部）
４１      掻き出し部
４２      押し出し部
５        第２の突出部（突出部）
６        電線挿入部
７        ブラシ部
１００    共用操作棒
１０２    先端部
【図１】
2019161878.tif 000003
【図２】
2019161878.tif 000004
【図３】
2019161878.tif 000005
【図４】
2019161878.tif 000006
【図５】
2019161878.tif 000007
【図６】
2019161878.tif 000008
【図７】
2019161878.tif 000009